(57)【要約】【課題】従来と同様の工具を任意の取り付け角度で容易に取り付けられる工作機械用の刃物台を提供する。【解決手段】工作機械の往復台上に着脱可能に設置される刃物台１００であって、バイトを固定するバイトホルダ１がバイトの長手方向を枢軸として回動可能に設置され、該バイトホルダ１はバイトホルダ固定ネジ１２によって任意の回動角度において固定可能である。【選択図】　　　　図１
2004082284.tif 000002
【特許請求の範囲】
【請求項１】
工作機械の往復台上に着脱可能に設置される刃物台であって、
バイトを固定するバイトホルダが前記バイトの長手方向を枢軸として回動可能に設置され、
該バイトホルダが任意の回動角度において固定可能であることを特徴とする刃物台。
【請求項２】
前記バイトホルダとともに回動する支持針と、
前記バイトホルダの枢軸を中心として、任意の角度間隔で目盛りが形成された角度表示目盛りをさらに有し、
前記支持針は、前記バイトホルダの回動量を前記角度表示目盛りの目盛り上で指し示すことを特徴とする請求項１記載の刃物台。
【請求項３】
前記バイトホルダは、略円筒形状であり、
該バイトホルダが固定される本体部材には、該バイトホルダの直径と略同一径で、一部がスリ割りによって軸方向に沿って分断され、前記往復台の移動方向と同一平面内と平行な貫通穴が形成されており、
該スリ割りによって分断された部材を貫通するネジを締め付けることにより、該貫通穴に挿入された前記バイトホルダが任意の回動角度において固定されることを特徴とする請求項１又は２記載の刃物台。
【請求項４】
バイトを所定の取り付け角度で固定保持する手段をさらに有することを特徴とする請求項１から３のいずれか１項記載の刃物台。
【請求項５】
工作機械の往復台上に着脱可能に設置される刃物台であって、
バイトを固定するバイトホルダが、少なくともひとつ、前記バイトの長手方向を枢軸として回動自在に設置され、
該それぞれのバイトホルダが任意の回動角度において固定可能であることを特徴とする刃物台。
【請求項６】
前記バイトホルダとともに回動する支持針と、
前記バイトホルダの枢軸を中心として、任意の角度間隔で目盛りが形成された角度表示目盛りとを各バイトホルダについてそれぞれさらに有し、
前記支持針は、前記バイトホルダの回動量を前記角度表示目盛りの目盛上で指し示すことを特徴とする請求項５記載の刃物台。
【請求項７】
前記それぞれのバイトホルダは、略円筒状であり、
各バイトホルダが固定される本体部材には、各バイトホルダの直径と略同一径で、一部がスリ割りによって軸方向に沿って分断され、前記往復台の移動方向と同一平面内と平行な貫通穴がそれぞれのバイトホルダに対応して形成されており、
該スリ割りによって分断された部材を貫通するネジを締め付けることにより、該貫通穴に挿入された前記バイトホルダが任意の回動角度において固定されることを特徴とする請求項５又は６記載の刃物台。
【請求項８】
前記往復台の縦送り台に対して平行に固定するためのガイドプレートをさらに有することを特徴とする請求項１から７のいずれか１項記載の刃物台。
【発明の詳細な説明】
【０００１】
【発明の属する技術分野】
本発明は、旋盤などの工作機械に用いる刃物を固定する刃物台に関する。
【０００２】
【従来の技術】
従来、旋盤によるねじ切り加工などにおいては、バイトによって連続的に溝加工を行うが、一般的に、バイトの切り刃面の裏面には、図８に示すように、一定の逃げ角を有する「逃げ」が設けられており、これによりバイトの刃面以外は被加工物に接触しない構造になっている。
【０００３】
しかし、リード角の大きい溝加工や多条ネジ、又は鋭角なバイト加工においては、特殊バイトのように逃げ角を大きく取るとバイトの強度が損なわれてしまう。
【０００４】
この対策として、バイトの逃げ角を大きく取らず、バイトの取り付け角度を変えることによって、逃げ角の不足を補う手法が用いられていた。
【０００５】
【発明が解決しようとする課題】
しかし、図９及び図１０に示すように、従来の工作機械においては、工具の取り付け角度を調整するための機構が設けられていなかった。このため、工具の取り付け角度を変化させる場合は、その段取りに時間を要し、工具の取り付けを容易に行えないという問題があった。
また、工具の取り付け角度を変化させると、加工精度が低下してしまうという問題があった。
【０００６】
工具の取り付け位置を調整することを目的とした従来技術として、特開２０００−１０７９１５号公報に開示される「旋盤刃物台」がある。
この従来技術によれば、工具の刃先位置を容易に主軸軸心にあわせて芯だしを行える。しかし、この従来技術は、工具ホルダに取り付けた工具の向きを微少量変化させるものであり、工具ホルダに対する工具の取り付け角度を変更するものではない。したがって、この従来技術では、工具の取り付け角度を容易に調整することはできなかった。
【０００７】
本発明はかかる問題に鑑みてなされたものであり、従来と同様の工具を任意の取り付け角度で容易に取り付けられる工作機械用の刃物台を提供することを目的とする。
【０００８】
【課題を解決するための手段】
上記目的を達成するため、本発明は、第１の態様として、工作機械の往復台上に着脱可能に設置される刃物台であって、バイトを固定するバイトホルダがバイトの長手方向を枢軸として回動可能に設置され、該バイトホルダが任意の回動角度において固定可能であることを特徴とする刃物台を提供するものである。
【０００９】
以上の構成においては、バイトホルダとともに回動する支持針と、バイトホルダの枢軸を中心として、任意の角度間隔で目盛りが形成された角度表示目盛りをさらに有し、支持針は、バイトホルダの回動量を角度表示目盛りの目盛り上で指し示すことが好ましい。
また、上記のいずれの構成においても、バイトホルダは、略円筒形状であり、該バイトホルダが固定される本体部材には、該バイトホルダの直径と略同一径で、一部がスリ割りによって軸方向に沿って分断され、往復台の移動方向と同一平面内と平行な貫通穴が形成されており、該スリ割りによって分断された部材を貫通するネジを締め付けることにより、該貫通穴に挿入されたバイトホルダが任意の回動角度において固定されることが好ましい。
また、上記本発明の第１の態様のいずれの構成においても、バイトを所定の取り付け角度で固定保持する手段をさらに有することが好ましい。
【００１０】
また、上記目的を達成するため、本発明は第２の態様として、工作機械の往復台上に着脱可能に設置される刃物台であって、バイトを固定するバイトホルダが、少なくともひとつ、バイトの長手方向を枢軸として回動自在に設置され、該それぞれのバイトホルダが任意の回動角度において固定可能であることを特徴とする刃物台を提供するものである。
【００１１】
以上の構成において、バイトホルダとともに回動する支持針と、バイトホルダの枢軸を中心として、任意の角度間隔で目盛りが形成された角度表示目盛りとを各バイトホルダについてそれぞれさらに有し、支持針は、バイトホルダの回動量を角度表示目盛りの目盛上で指し示すことが好ましい。
【００１２】
上記本発明の第２の態様のいずれの構成においても、それぞれのバイトホルダは、略円筒状であり、各バイトホルダが固定される本体部材には、各バイトホルダの直径と略同一径で、一部がスリ割りによって軸方向に沿って分断され、往復台の移動方向と同一平面内と平行な貫通穴がそれぞれのバイトホルダに対応して形成されており、該スリ割りによって分断された部材を貫通するネジを締め付けることにより、該貫通穴に挿入されたバイトホルダが任意の回動角度において固定されることが好ましい。
【００１３】
上記本発明の第１の態様又は第２の態様のいずれの構成においても、往復台の縦送り台に対して平行に固定するためのガイドプレートをさらに有することが好ましい。
【００１４】
〔作用〕
本発明の作用は、以下に示す通りである。
イ．工作機械の往復台上の着脱可能な刃物台において、バイトはバイトホルダを介して刃物台に固定される。バイトホルダは、刃物台に対して、バイトの長手方向を枢軸として回転可能に支持されるため、バイトを任意の取り付け角度で固定することが可能となる。
ロ．バイトホルダに支持針を設け、刃物台に角度表示目盛り設けたことにより、バイトの取り付け角度を視覚的に表示できる。
ハ．一度バイトホルダを任意のバイト取り付け角度に固定すると、バイトホルダに取り付けたバイトを交換しても、バイト取り付け角度が変化しない。
ニ．バイトホルダを介してバイトを固定するため、従来と同様のバイトを適用できる。
ホ．微細な溝加工や鋭角なバイト加工の際に逃げ角を取る必要がないため、バイトの強度が低下するという問題が解消する。
ヘ．刃物台又は旋盤の往復台に、刃物台の取り付け位置あわせ用のガイドプレートを設けたため、往復台に対して刃物台を平行に搭載することが容易である。また、刃物台を往復台に対して平行に搭載することにより、被加工物に対してバイトを平行に保持できる。
【００１５】
【発明の実施の形態】
〔第１の実施形態〕
本発明を好適に実施した第１の実施形態について説明する。
図１に、本実施形態による刃物台を備えた旋盤の構成を示す。本実施形態の刃物台は、従来の刃物台と同様に旋盤に搭載される。
図２に、本実施形態による刃物台１００の構成を示す。刃物台１００は、バイトホルダ１、ガイドプレート２及び角度表示メモリ３を有する。
バイトホルダ１は、バイトを刃物台１００に固定するための円筒状の部材である。バイトホルダ１内に挿入されたバイトは、バイト固定用ネジ１１によってバイトホルダ１に固定される。また、バイトホルダ固定ネジ１２を締め付けることによってスリ割り１３の間隔が狭まり、バイトホルダ１は刃物台１００に固定される。また、バイトホルダ１のバイト取り付け側と反対側の端面には、指示針１４が設けられている。ガイドプレート２は、刃物台１００を水平に設置するための部材であり、刃物台１００の下面に対して垂直に突出するように、刃物台１００の側面に取り付けられる。刃物台１００を旋盤に取り付ける際には、ガイドプレート２を縦送り台に突き当てた状態で固定する。これにより、刃物台１００は旋盤の縦送り台に対して平行に固定され、角度表示目盛り３がバイトの取り付け角度を正確に示すようになる。角度表示メモリ３バイトの取り付け角をユーザに表示する部材であり、角度表示メモリ３の各目盛りの値のうち指示針１４が指し示す値がバイトの取り付け角である。
【００１６】
なお、刃物台１００は、バイトの交換作業を容易に行えるように刃物台固定支柱２０を枢軸として回転可能に設置される。
【００１７】
図３に、バイトホルダ１にバイトを取り付けた状態を示す。バイトホルダ１に挿入されたバイトは、バイト固定ネジ１１によってバイトホルダ１から任意長さ突出した状態で固定保持される。
【００１８】
バイトの取り付け角度を調整する際には、バイトホルダ固定ネジ１２を弛めて、スリ割り１３による圧迫力を解放する。これによりバイトホルダ１は、長手方向を枢軸として回転可能となる。
ユーザは、角度表示目盛り３及び指示針１４を用いてバイトの取り付け角度を調整する。換言すると、指示針１４が指し示す値が所望のバイト取り付け角と同じ値となるまでバイトホルダ１を回転させる。例えば、バイト取り付け角を５°に設定したい場合には、指示針１４が“５°”を示すまでバイトホルダ１を回転させる。
【００１９】
所望のバイト取り付け角度までバイトホルダ１を回転させた後、バイトホルダ固定ネジ１２を締め付けてスリ割り１３の間隔を狭め、バイトホルダ１を固定する。
【００２０】
このように、刃物台１００は、バイト取り付け角を任意の角度に調整することが可能である。
【００２１】
また、バイトを交換する際には、バイト固定用ネジ１１を弛めてバイトを取り外す。その後、新しいバイトをバイトホルダ１に挿入してバイト固定用ネジ１１を締め付ける。
このようにして交換したバイトは、交換前のバイトと同じ取り付け角度に保持される。従って、加工作業中に何らかの原因（例えば、刃先の破損）でバイトを交換しなければならなくなったとしても、新しいバイトを容易に所定の取り付け角度で取り付けることが可能である。
【００２２】
〔第２の実施形態〕
本発明を好適に実施した第２の実施形態について説明する。
図４に、本実施形態による刃物台を適用した旋盤の構成を示す。本実施形態においても、従来と同様に、刃物台は旋盤の送り台上に搭載される。
図５に本実施形態による刃物台１００を示す。本実施形態による刃物台１００は、刃物台固定支柱２０を枢軸として回転可能に設置されている。バイトホルダ１が配置される側と反対側には、従来の刃物台と同様にバイト固定ネジ１５が配置されており、これを用いてバイトを固定保持できるようになっている。
【００２３】
本実施形態においては、第１の実施形態と同様に、任意の取り付け角度でバイトを固定保持できるとともに、取り付け角度を調整する必要がないバイトや、バイトホルダ１に適合しない特殊な形状のバイトを従来と同様の手法で固定保持することが可能である。
これにより、加工作業中にバイトホルダ１に適合しないバイト（ただし、バイト固定ネジ１５により固定可能なバイトとする）を使用する必要があるとしても、刃物台を交換することなく作業を続行することが可能となる。
これにより、加工作業が容易になるため、加工コストを低減することが可能となる。
【００２４】
〔第３の実施形態〕
本発明を好適に実施した第３の実施形態について説明する。
図６に、本実施形態による刃物台を適用した旋盤を示す。本実施形態においても、従来と同様に刃物台は旋盤の送り台上に搭載される。
図７に、本実施形態による刃物台１００を示す。本実施形態による刃物台１００は、バイトホルダ１及び角度表示目盛り３を二つずつ（バイトホルダ１ａ，１ｂ及び角度表示目盛り３ａ，３ｂ）有する。また、本実施形態の刃物台１００は、ガイドプレート２を備えていない。その他については、第１の実施形態と同様である。
【００２５】
本実施形態においては、ガイドプレート２’は、刃物台１００側にではなく、縦送り台側に設けられている。ガイドプレート２’は、縦送り台の上面と垂直に突出するように、縦送り台の側面に設置されている。刃物台１００を旋盤に取り付ける際には、刃物台１００をガイドプレート２に突き当てた状態で固定する。これにより、刃物台１００は旋盤の縦送り台に対して平行に固定され、角度表示目盛り３がバイトの取り付け角度を正確に示すようになる。
なお、刃物台１００は、バイトの交換や切り替えを行えるように刃物固定用支柱２０を枢軸として、回転可能に設置される。
【００２６】
本実施形態の刃物台において、バイトホルダ１ａ，１ｂのそれぞれに対するバイトの取り付け方は、第１の実施形態と同様である。
【００２７】
バイトホルダ１ａに保持させたバイトの取り付け角度を調整する際には、バイトホルダ固定ネジ１２ａを弛めて、スリ割り１３ａによる圧迫力を解放する。これによりバイトホルダ１ａは、長手方向を枢軸として回転可能となる。
ユーザは、角度表示目盛り３ａ及び指示針１４ａを用いてバイトの取り付け角度を調整する。換言すると、指示針１４ａが指し示す値が所望のバイト取り付け角と同じ値となるまでバイトホルダ１ａを回転させる。例えば、バイト取り付け角を５°に設定したい場合には、指示針１４ａが“５°”を示すまでバイトホルダ１ａを回転させる。
【００２８】
所望のバイト取り付け角度までバイトホルダ１ａを回転させた後、バイトホルダ固定ネジ１２ａを締め付けてスリ割り１３ａの間隔を狭め、バイトホルダ１ａを固定する。
【００２９】
バイトホルダ１ｂに保持させたバイトの取り付け角度を調整する方法も上記同様である。
【００３０】
本実施形態においては、刃物台１００にバイトホルダ１を複数搭載したため、加工作業中に作業工程に応じて使用するバイトを切り替えることが可能である。加工作業に使用するバイトを、バイトホルダ１ａに保持したバイトからバイトホルダ１ｂに保持したバイトに切り替える場合、ユーザは刃物台固定ハンドルを操作して刃物台１００を回転可能な状態にした後、バイトホルダ１ｂに保持したバイトが被加工物に対向するように、刃物台１００を回転させる。バイトホルダ１ｂに保持したバイトが所定の方向を向いた状態で、ユーザは刃物台固定ハンドルを操作し、刃物台１００を固定する。このようにして、加工作業中に使用するバイトを切り替えることが可能となる。
【００３１】
本実施形態の刃物台１００は、複数のバイトを搭載可能としたことにより、加工作業中のバイト交換や刃物台自体の交換頻度が小さくなる。これにより、加工作業を容易に行うことができるため、加工コストを低減することができる。
【００３２】
なお、上記各実施形態は本発明の好適な実施の一例であり、本発明はこれらに限定されるものではない。
例えば、上記各実施形態では、旋盤を例に説明を行ったが、本発明は旋盤用の刃物台に限定されるものではない。
また、上記各実施形態においては、刃物台が四角形の場合を例に説明を行ったが、本発明はこれに限定されるものではなく、略正六角形、略正八角形などであってもよい。
さらに、バイト固定ネジやバイトホルダ固定ネジの数量などは図面に示した数量に限定されるものではない。
このように、本発明は様々な変形が可能である。
【００３３】
【発明の効果】
以上の説明によって明らかなように、本発明によれば、従来と同様の工具を任意の取り付け角度で容易に取り付けられる工作機械用の刃物台を提供することができる。
【図面の簡単な説明】
【図１】本発明を好適に実施した第１の実施形態による刃物台を搭載した旋盤の構成を示す図である。
【図２】第１の実施形態による刃物台の構成を示す図である。
【図３】バイトホルダにバイトを取り付けた状態を示す図である。
【図４】本発明を好適に実施した第２の実施形態による刃物台を搭載した旋盤の構成を示す図である。
【図５】第２の実施形態による刃物台の構成を示す図である。
【図６】本発明を好適に実施した第３の実施形態による刃物台を搭載した旋盤の構成を示す図である。
【図７】第３の実施形態による刃物台の構成を示す図である。
【図８】バイトの形状の一例を示す図である。
【図９】従来の刃物台の構成を示す図である。
【図１０】従来の旋盤の構成を示す図である。
【符号の説明】
１、１ａ、１ｂ　バイトホルダ
２、２’　ガイドプレート
３　角度表示目盛り
１１、１１ａ、１１ｂ　バイト固定ネジ
１２、１２ａ、１２ｂ　バイトホルダ固定ネジ
１３、１３ａ、１３ｂ　スリ割り
１４，１４ａ、１４ｂ　指示針
２０　刃物台固定用支柱
１００　刃物台
【図１】
2004082284.tif 000003
【図２】
2004082284.tif 000004
【図３】
2004082284.tif 000005
【図４】
2004082284.tif 000006
【図５】
2004082284.tif 000007
【図６】
2004082284.tif 000008
【図７】
2004082284.tif 000009
【図８】
2004082284.tif 000010
【図９】
2004082284.tif 000011
【図１０】
2004082284.tif 000012